(57)【特許請求の範囲】
【請求項１】
外面を有した壁、を有した筐体と、
前記外面に設けられたアイコンと、
前記アイコンの周囲で前記外面よりも前記外面の向く第一方向に位置し、前記アイコンに光を照射する照明部と、
前記照明部に対して前記第一方向に位置し、前記照明部を覆った覆部と、
を備えた電子機器。
【請求項２】
前記照明部は、前記アイコンに対して上方に位置した、請求項１に記載の電子機器。
【請求項３】
前記外面と前記覆部との間の開口部を塞ぎ、前記光が通過する塞ぎ部材を備えた、請求項１または２に記載の電子機器。
【請求項４】
前記外面を覆う状態と前記外面を露出させる状態とに前記筐体に対する位置を変更可能なカバーと、
前記カバーに設けられ、前記カバーが前記外面を覆った状態で前記光を前記カバーの外側に導く導光部材と、
を備えた、請求項１〜３のうちいずれか一つに記載の電子機器。
【請求項５】
前記外面を覆う状態と前記外面を露出させる状態とに前記筐体に対する位置を変更可能なカバーを備え、
前記カバーには、前記カバーが前記外面を覆った状態で前記アイコンを露出させる開口部が設けられた、請求項１〜３のうちいずれか一つに記載の電子機器。
【請求項６】
前記覆部を有し前記外面から前記第一方向に突出した凸部を備えた、請求項１〜５のうちいずれか一つに記載の電子機器。
【発明の詳細な説明】
【技術分野】
【０００１】
本発明は、電子機器に関する。
【背景技術】
【０００２】
従来、外部から視認可能なアイコンが設けられた筐体と、アイコンの裏側からアイコンに光を照射する照明部と、を備えた電子機器が知られている。
【先行技術文献】
【特許文献】
【０００３】
【特許文献１】特開２００６−３２４７９９号公報
【発明の概要】
【発明が解決しようとする課題】
【０００４】
この種の電子機器の筐体では、例えば、アイコンを通過した光がユーザの目に直接入るので、ユーザがアイコンを見た場合に眩しいと感じる虞がある。
【０００５】
そこで、本発明の課題の一つは、アイコンを見たユーザが眩しいと感じるのを抑制しやすい電子機器を得ることである。
【課題を解決するための手段】
【０００６】
本発明の第一態様にかかる電子機器は、外面を有した壁、を有した筐体と、前記外面に設けられたアイコンと、前記アイコンの周囲で前記外面よりも前記外面の向く第一方向に位置し、前記アイコンに光を照射する照明部と、前記照明部に対して前記第一方向に位置し、前記照明部を覆った覆部と、を備える。
【０００７】
前記電子機器では、例えば、前記照明部は、前記アイコンに対して上方に位置する。
【０００８】
前記電子機器では、例えば、前記外面と前記覆部との間の開口部を塞ぎ、前記光が通過する塞ぎ部材を備える。
【０００９】
前記電子機器は、前記外面を覆う状態と前記外面を露出させる状態とに前記筐体に対する位置を変更可能なカバーと、前記カバーに設けられ、前記カバーが前記外面を覆った状態で前記光を前記カバーの外側に導く導光部材と、を備える。
【００１０】
前記電子機器は、前記外面を覆う状態と前記外面を露出させる状態とに前記筐体に対する位置を変更可能なカバーを備え、前記カバーには、前記カバーが前記外面を覆った状態で前記アイコンを露出させる開口部が設けられている。
前記電子機器は、前記覆部を有し前記外面から前記第一方向に突出した凸部を備える。
【００１１】
本発明の上記態様によれば、アイコンを見たユーザが眩しいと感じるのを抑制しやすい電子機器を得ることができる。
【図面の簡単な説明】
【００１２】
【図１】図１は、第一実施形態の電子機器の例示的な斜視図であって、カバーが閉位置に位置した状態の図である。
【図２】図２は、第一実施形態の電子機器の例示的な斜視図であって、カバーが開位置に位置した状態の図である。
【図３】図３は、第一実施形態の電子機器の例示的な正面図であって、カバーが開位置に位置した状態の図である。
【図４】図４は、第一実施形態の電子機器の例示的な正面図である。
【図５】図５は、図３のV-V断面図である。
【図６】図６は、図５のVI部の拡大図である。
【図７】図７は、図４のVII-VII断面図である。
【図８】図８は、図７のVIII部の拡大図である。
【図９】図９は、第二実施形態の電子機器の例示的な正面図である。
【発明を実施するための形態】
【００１３】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１４】
また、以下の複数の実施形態には、同様の構成要素が含まれている。それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１５】
＜第一実施形態＞
図１は、第一実施形態の電子機器１の例示的な斜視図であって、カバー３が閉位置に位置した状態の図である。図２は、第一実施形態の電子機器１の例示的な斜視図であって、カバー３が開位置に位置した状態の図である。図３は、第一実施形態の電子機器１の例示的な正面図であって、カバー３が開位置に位置した状態の図である。図４は、第一実施形態の電子機器１の電子機器１の例示的な正面図である。
【００１６】
図１〜図４に示されるように、電子機器１００は、例えば、デスクトップ型のパーソナルコンピュータとして構成され、筐体２と、筐体２内に収容された電子部品（不図示）と、カバー３と、ヒンジ４と、を備えている。筐体２は、机や台、棚等の設置面に縦置きの状態に置かれる。カバー３は、筐体２に対して回転可能にヒンジ４によって筐体２に連結されている。なお、電子機器１００は、上記例には限定されず、例えば、ノートブック型のパーソナルコンピュータや、スマートフォン、携帯電話、映像表示装置、テレビジョン受像機、ゲーム機等であってもよい。
【００１７】
以下の説明では、便宜上、互いに直交する三方向が定義されている。Ｘ方向は、筐体２の前後方向の前方と同じである。Ｙ方向は、筐体２の幅方向（左右方向、短手方向）に沿う。Ｚ方向は、筐体２の上下方向の上方と同じである。
【００１８】
図２に示されるように、筐体２は、例えば、Ｙ方向に扁平な直方体状の箱型に構成されている。筐体２は、底壁２ａや、天壁２ｂ、前壁２ｃ、左壁２ｄ、後壁２ｅ、右壁２ｆ等の複数の壁を有している。底壁２ａは、下壁とも称され、天壁２ｂは、上壁とも称される。また、前壁２ｃ、左壁２ｄ、後壁２ｅ、および右壁２ｆは、側壁や、周壁等とも称される。
【００１９】
底壁２ａおよび天壁２ｂは、いずれも、Ｚ方向と直交する方向（Ｘ−Ｙ平面）に沿って延びており、Ｚ方向に間隔をあけて互いに平行に設けられている。底壁２ａは、筐体２の下端部を構成し、天壁２ｂは、筐体２の上端部を構成している。
【００２０】
前壁２ｃおよび後壁２ｅは、いずれも、Ｘ方向と直交する方向（Ｙ−Ｚ平面）に延びており、Ｘ方向に間隔をあけて互いに略平行に設けられている。前壁２ｃは、底壁２ａおよび天壁２ｂのＸ方向の端部の間に亘り、後壁２ｅは、底壁２ａおよび天壁２ｂのＸ方向の反対方向の端部の間に亘っている。前壁２ｃは、筐体２の前端部を構成し、後壁２ｅは、筐体２の後端部を構成している。前壁２ｃは、Ｘ方向を向いた外面２ｇを有する。前壁２ｃには、光学ドライブ１１や、電源ボタン１２等が設けられている。
【００２１】
図５は、図３のV-V断面図である。図６は、図５のVI部の拡大図である。図２、図５、図６に示されるように、前壁２ｃは、詳細には、ベース壁２ｈと、凸部２ｉと、を有する。ベース壁２ｈは、Ｘ方向と直交する方向（Ｙ−Ｚ平面）に延びている。ベース壁２ｈの外面２ｈａは、Ｘ方向を向いている。外面２ｈａは、外面２ｇに含まれる。外面２ｈａは、前面とも称される。Ｘ方向は、第一方向の一例である。ベース壁２ｈは、壁の一例である。
【００２２】
凸部２ｉは、外面２ｈａからＸ方向に突出している。凸部２ｉは、壁２ｉａと、立壁２ｉｂと、を有する。壁２ｉａは、外面２ｈａよりも外面２ｈａの向くＸ方向に位置し、Ｘ方向と直交する方向（Ｙ−Ｚ平面）に延びている。壁２ｉａの外面２ｉｃは、Ｘ方向を向く。外面２ｉｃは、外面２ｇに含まれる。壁２ｉａに設けられた開口部２ｉｄから電源ボタン１２が露出している。壁２ｉａは、覆部の一例である。立壁２ｉｂは、外面２ｈａからＸ方向に延び、外面２ｈａと壁２ｉａとの間に亘っている。
【００２３】
図６に示されるように、立壁２ｉｂの下端部には、開口部２ｊが設けられている。開口部２ｊは、外面２ｈａと壁２ｉａとの間に位置する。この開口部２ｊは、光の透過性を有した塞ぎ部材５５によって塞がれている。塞ぎ部材５５は、例えばアクリルによって構成されている。
【００２４】
また、外面２ｈａには、アイコン５２が設けられている。アイコン５２は、例えば、ＨＤＤ（Hard  Disk  Drive）やＳＳＤ（Solid  State  Drive）等の記憶装置（不図示）を表す。なお、アイコン５２は、上記以外のアイコンであってもよい。アイコン５２は、凸形状によって構成されていてもよいし、インク等によって構成されていてもよい。アイコン５２は、凸部２ｉに対してＺ方向の反対方向、すなわち下方に配置されている。換言すると凸部２ｉは、アイコン５２に対して上方に配置されている。
【００２５】
また、凸部２ｉの内部には、照明部５１が配置されている。照明部５１は、例えばＬＥＤ（Light  Emitting  Diode）等の光源によって構成されている。なお、照明部５１は、光源を覆うカバー等を有していてもよい。照明部５１は、アイコン５２の周囲で外面２ｈａよりも外面２ｈａの向くＸ方向に位置する。照明部５１は、アイコン５２に対してＺ方向すなわち上方に位置している。照明部５１は、Ｚ方向の反対方向すなわち下方に光を照射する。すなわち、照明部５１は、アイコン５２に光を照射する。照明部５１は、例えば、プロセッサ等による記憶装置へのアクセスがあった場合に、アイコン５２に光を照射する。すなわち、アイコン５２が照明部５１によって照明されたときは、記憶装置へのアクセスがあったことを示す。
【００２６】
凸部２ｉの壁２ｉａは、照明部５１に対してＸ方向に位置し、照明部５１を覆っている。壁２ｉａは、照明部５１からの光のうちＸ方向に進む光を遮蔽する。
【００２７】
図２に示されるように、左壁２ｄおよび右壁２ｆは、いずれも、Ｙ方向と直交する方向（Ｘ−Ｚ平面）に沿って延びており、Ｙ方向に間隔をあけて互いに平行に設けられている。左壁２ｄは、底壁２ａおよび天壁２ｂのＹ方向の端部の間に亘り、右壁２ｆは、底壁２ａおよび天壁２ｂのＹ方向の反対方向の端部の間に亘っている。左壁２ｄは、筐体２の左端部を構成し、右壁２ｆは、筐体２の右端部を構成している。
【００２８】
図１〜図４に示されるように、カバー３は、壁３ａと、突出部３ｂと、を有している。カバー３は、筐体２の前壁２ｃにおける右端部に、ヒンジ４によって連結されている。具体的には、カバー３は、Ｚ方向に延びる回転中心を中心として、筐体２の前壁２ｃの外面２ｇ，２ｈａ，２ｉｃを覆う閉位置（図１）と、筐体２の外面２ｇ，２ｈａ，２ｉｃを露出させる開位置（図２）との間で回転可能に、ヒンジ４によって筐体２の前壁２ｃに連結されている。すなわち、カバー３は、外面２ｇ，２ｈａ，２ｉｃを覆う状態（図１）と、外面２ｇ，２ｈａ，２ｉｃを露出させる状態（図２）とに筐体２に対する位置を変更可能である。なお、カバー３は、筐体２に対して着脱可能に取り付けられていてもよい。カバー３は、閉位置では、不図示の磁石の磁力等によって位置が保持される。
【００２９】
壁３ａは、閉位置（図１）において、Ｘ方向と直交する方向（Ｙ−Ｚ平面）に沿って延びており、筐体２の前壁２ｃの前方に位置する。壁３ａは、外面３ｃと、外面３ｃの反対側の内面３ｄと、を有している。カバー３が閉位置（図１）に位置した場合には、内面３ｄは、筐体２における前壁２ｃの外面２ｇと対向する。
【００３０】
突出部３ｂは、壁３ａの内面３ｄの周縁部に沿った筒状に形成され、内面３ｄの周縁部から外面３ｃとは反対側に突出している。カバー３が閉位置（図１）に位置した場合には、突出部３ｂの先端部は、筐体２における前壁２ｃの外面２ｇと対向する。
【００３１】
また、図２に示されるように、カバー３には、凹部３ｅが設けられている。凹部３ｅは、突出部３ｂと内面３ｄとによって囲まれており、突出部３ｂの先端部に開口し突出部３ｂの先端部から内面３ｄに向かって凹んでいる。凹部３ｅは、カバー３が閉位置に位置した状態では、凹部３ｅは、筐体２における前壁２ｃの外面２ｇと対向する。すなわち、凹部３ｅは、カバー３が筐体２を覆った状態では、筐体２に向けて開口する。
【００３２】
図７は、図４のVII-VII断面図である。図８は、図７のVIII部の拡大図である。図２および図７に示されるように、カバー３には、導光部材５３が設けられている。導光部材５３は、カバー３が閉位置に位置した場合すなわちカバー３が外面２ｈａを覆った状態で、照明部５１からの光をカバー３の外側に導く。導光部材５３は、例えばアクリルによって構成されている。
【００３３】
図８に示されるように、導光部材５３は、入射面５３ａと、出射面５３ｂと、入射面５３ａと出射面５３ｂとに亘った導光部５３ｃと、を有する。入射面５３ａは、カバー３が閉位置に位置した場合には、照明部５１の下方で照明部５１と対向する。出射面５３ｂは、カバー３の壁３ａに設けられた開口部３ｄａからカバー３の外部に露出している。カバー３が閉位置に位置した場合には、照明部５１の光は、入射面５３ａに入射して、導光部５３ｃによって出射面５３ｂへ導かれて、出射面５３ｂからカバー３の外部に照射される。図８には、光の進む方向の一例が線Ｌ１で示されている。また、壁３ａの外面３ｃの開口部３ｄａの周囲（一例として、下方）には、アイコン５４が設けられている。アイコン５４が表す内容は、アイコン５２が表す内容と同じである。
【００３４】
以上のように、本実施形態では、電子機器１は、外面２ｈａを有した筐体２と、外面２ｈａに設けられたアイコン５２と、アイコン５２の周囲で外面２ｈａよりも外面２ｈａの向くＸ方向（第一方向）に位置し、アイコン５２に光を照射する照明部５１と、照明部５１に対してＸ方向に位置し、照明部５１を覆った壁２ｉａ（覆部）と、を備える。このような構成によれば、照明部５１が壁２ｉａによって覆われているので、カバー３が開位置に位置された状態でアイコン５２を見るユーザの目に照明部５１の光が直接入ることが抑制されやすい。よって、アイコン５２を見たユーザが眩しいと感じるのを抑制しやすい。
【００３５】
また、本実施形態では、照明部５１は、アイコン５２に対して上方に位置する。このような構成によれば、例えば、電子機器１を室内で使用する場合、天井の照明部（不図示）からアイコン５２に向かる光が壁２ｉａ（凸部２ｉ）によって遮られて、アイコン５２に届くのを抑制しやすい。よって、照明部５１による光の照射によってアイコン５２が見やすい。
【００３６】
また、本実施形態では、塞ぎ部材５５が、外面２ｈａと壁２ｉａ（覆部）との間の開口部２ｊを塞ぎ、照明部５１からの光が塞ぎ部材５５を通過する。このような構成によれば、開口部２ｊから筐体２内に埃等が入るのが抑制されやすい。
【００３７】
また、本実施形態では、電子機器１は、外面２ｈａを覆う状態と外面２ｈａを露出させる状態とに筐体２に対する位置を変更可能なカバー３と、カバー３に設けられ、カバー３が外面２ｈａを覆った状態で照明部５１からの光をカバー３の外側に導く導光部材５３と、を備える。このような構成によれば、カバー３が外面２ｈａを覆った状態でも照明部５１からの光を導光部材５３のカバー３の外側に導くことができる。
【００３８】
＜第二実施形態＞
次に、第二実施形態を説明する。図９は、第二実施形態の電子機器１の例示的な正面図である。
【００３９】
本実施形態の電子機器１は、第一実施形態の電子機器１と同様の構成を備えている。よって、本実施形態によっても、第一実施形態と同様の構成に基づく同様の結果（効果）が得られる。
【００４０】
但し、本実施形態は、図９に示されように、カバー３の開口部３ｄａが筐体２に設けられたアイコン５２に対してＸ方向に位置し、当該開口部３ｄａが、カバー３が閉位置に位置した状態でアイコン５２をカバー３の外部に露出させる点が、第一実施形態に対して異なる。本実施形態では、導光部材５３は設けられていない。
【００４１】
以上のように、本実施形態では、電子機器１は、外面２ｈａを覆う状態と外面２ｈａを露出させる状態とに筐体２に対する位置を変更可能なカバー３を備える。カバー３には、カバー３が外面２ｈａを覆った状態でアイコン５２を露出させる開口部３ｄａが設けられている。このような構成によれば、カバー３が外面２ｈａを覆った状態でもユーザがアイコン５２を視認することができる。
【００４２】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００４３】
１…電子機器、２…筐体、２ｈ…ベース壁（壁）、２ｈａ…外面、２ｉ…凸部、２ｉａ…壁（覆部）、２ｊ…開口部、３…カバー、３ｄａ…開口部、５１…照明部、５２…アイコン、５３…導光部材、５５…塞ぎ部材。
【要約】
【課題】アイコンを見たユーザが眩しいと感じるのを抑制しやすい電子機器を得る。
【解決手段】電子機器は、外面を有した筐体と、外面に設けられたアイコンと、アイコンの周囲で外面よりも外面の向く第一方向に位置し、アイコンに光を照射する照明部と、照明部に対して第一方向に位置し、照明部を覆った覆部と、を備える。
【選択図】図６【図１】
0006836093.tif 000002
【図２】
0006836093.tif 000003
【図３】
0006836093.tif 000004
【図４】
0006836093.tif 000005
【図５】
0006836093.tif 000006
【図６】
0006836093.tif 000007
【図７】
0006836093.tif 000008
【図８】
0006836093.tif 000009
【図９】
0006836093.tif 000010